(57)【要約】    【構成】  小屋組施工治具１０は複数のブロック１２を環状に連結して形成され、ブロック１２は連結部２８で内側方向にのみ曲がる。ブロック１２の外側面１４には凹部１６が形成される。    【効果】  小屋組施工治具１０の連結部２８を屈曲させ、トラス３２に合わせて小屋組施工治具１０を変形させながらトラス３２に嵌め込むことにより、この小屋組施工治具１０を足場受５０としてトラス３２に簡単に取り付けることができる。この際、凹部１６をトラス材２２に嵌めて係合させれば、小屋組施工治具１０はトラス３２に固定されるため足場を安定させることができる。また、連結部２８が外側方向に曲がらないので、足場受５０を直線状に維持することができる。【選択図】  図１
2005226282.tif 000002
【特許請求の範囲】
【請求項１】
複数のブロックを内側にのみ曲がるように環状に連結してなる、小屋組施工治具。
【請求項２】
前記ブロックの外側面にトラス材を受け入れる凹部を形成した、請求項１記載の小屋組施工治具。
【請求項３】
前記ブロック同士を前記内側で蝶番により連結した、請求項１または２記載の小屋組施工治具。
【発明の詳細な説明】
【技術分野】
【０００１】
この発明は、小屋組施工治具に関し、特にたとえば、建物を建設する際トラスによる小屋組の施工に使用する小屋組施工治具に関する。
【背景技術】
【０００２】
運搬などの問題により、たとえばトラスを左右２つに分けた半分だけを工場で予め組み立てておき、それらを建設現場で組み合わせる方法（トラス工法）が従来取られている。それらを組み合わせる際、トラスの高さが高いと建設作業員の手がトラスの上部に届かず、建設作業員は高い部分の作業をすることができないことがある。このため、各トラスに足場受を設け、その上に足場板を乗せてトラス間に足場板を差し渡している。
【０００３】
この足場受をトラスに溶接などして予め固定しておけば、足場の設置は容易であるが、建物プランによっては建物の建設後に足場受をトラスから取り外さなければならず、足場受をトラスに固定しておくことはできない。
【０００４】
このため、一般的方法では、トラスおよび足場板に足場受固定用孔を予め形成しておき、建設現場においてボルトなど固定治具を用いて足場受をトラスに接合している。そして、施工後に足場受が不要な場合は固定治具をはずして足場受をトラスから取り外している。
【０００５】
このトラスの足場受固定用孔の位置はトラスの大きさや形状によって異なるため、それに応じて固定用孔の位置を設定し、それらの孔の位置に対応するように足場受にも数箇所固定用の孔を形成している。
【０００６】
また、従来の建築用仮設足場の一例が特許文献１に開示されている。この特許文献１の仮設足場の縦支持材に受け部材の本体およびステーをバンド金具や溶接などにより固定し、その受け部材に足場板を係止させることにより足場を設けている。
【特許文献１】特開平１０−１６９１８２号公報［Ｅ０４Ｇ  ３／０８］
【発明の開示】
【発明が解決しようとする課題】
【０００７】
一般的従来技術では、トラスの張間の大きさによるバリエーションは豊富であるため、トラスの大きさや形状ごとに足場受の位置を設定し、その位置に足場受固定用孔を設けなければならない。それに応じて、足場板をどの張間の大きさのトラスに対しても接合できるように足場板に数箇所固定用の孔を形成しなければならない。また、建設現場においてこのトラスの足場受設定位置に足場受を固定する際、固定治具を用いなければならず、手間がかかる。
【０００８】
特許文献１の建築用仮設足場では、足場板を支持する受け部材を縦支持材に固定する際バンド金具などを用いなければならず、受け部材の脱着に手間がかかってしまう。また、受け部材を縦支持材に溶接して固定することもできるが、溶接してしまうと、受け部材を取り外すことができなくなってしまう。
【０００９】
それゆえに、この発明の主たる目的は、トラスの大きさや形状によらず、建設現場において簡単に脱着することができる、小屋組施工治具を提供することである。
【課題を解決するための手段】
【００１０】
請求項１の発明は、複数のブロックを内側にのみ曲がるように環状に連結してなる、小屋組施工治具である。
【００１１】
請求項１の発明では、複数のブロックを環状に連結して小屋組施工治具を形成する。各ブロックは連結部分で小屋組施工治具の内側方向にのみ曲がり、小屋組施工治具の形を変化させることができる。
【００１２】
建設現場において小屋組施工治具を３角形状に曲げてトラスの足場形成位置に嵌めることによりトラスに足場受を形成する。すなわち、後述するトラス材の垂直材と斜材とからなる角にできる限り近づくようにブロックを曲げてから、垂直材および斜材にブロックを沿わして２辺（垂直辺および斜辺）を形成する。そして、垂直辺および斜辺の適当な連結部分をそれぞれ曲げて、この角に対向する辺（水平辺）を形成する。この際、水平辺のブロックが曲がらず水平辺は直線状になり、かつ水平になるようにする。この水平辺が足場受となり、この上に足場板を乗せて足場が完成する。
【００１３】
足場に人や資材などが乗っても、それらの重力に対して小屋組施工治具の垂直辺および斜辺に抗力が生じるため、小屋組施工治具は足場板を支えることができる。また、水平辺の上から重力を掛けても、ブロック間の連結部は外側方向に曲がらないため、水平辺のブロックを直線状に維持することができる。
【００１４】
請求項２の発明は、ブロックの外側面にトラス材を受け入れる凹部を形成した、請求項１記載の小屋組施工治具である。
【００１５】
請求項２の発明では、ブロックの外側面に凹部を形成し、その凹部をトラス材に嵌め込むことにより、凹部はトラスのトラス材、たとえば垂直材および斜材に係合する。このため、小屋組施工治具は垂直材と斜材とからなる面に対して垂直な方向に固定される。
【００１６】
請求項３の発明は、ブロック同士を内側で蝶番により連結した、請求項１または２記載の小屋組施工治具である。
【００１７】
請求項３の発明では、複数のブロックの内側面にそれぞれ蝶番を取り付けて、ブロックを連結すると、各ブロックは蝶番により内側方向には曲がるが、外側方向には連結された２つのブロックの向き合う側面同士が当たるため曲がることができない。
【００１８】
ブロックを蝶番で連結すれば、ブロックの連結が容易であり、かつ曲げた連結部を伸ばしても塑性変形しないので連結部を繰り返し曲げ伸ばしすることができる。
【発明の効果】
【００１９】
この発明によれば、小屋組施工治具の連結部を屈曲させて、小屋組施工治具の形を変えることにより、トラスの大きさや形状に合わせて足場受を設けることができる。
【００２０】
ボルトなどの固定治具を用いなくても、トラスのタイプに合わせて変形させた小屋組施工治具をトラスに嵌めるだけで、小屋組施工治具を足場受としてトラスに取り付けることができる。また、足場受を取り外す際も小屋組施工治具をトラスから抜き取るだけでよく、足場受の脱着は簡単である。
【００２１】
この発明の上述の目的，その他の目的，特徴および利点は、図面を参照して行う以下の実施例の詳細な説明から一層明らかとなろう。
【発明を実施するための最良の形態】
【００２２】
図１（Ａ）に示すこの発明の一実施例である小屋組施工治具１０は複数、この実施例ではたとえば４３個のブロック１２をエンドレスに、すなわち環状に連結して形成される。
【００２３】
ブロック１２はアルミやステンレスなどの金属、エンジニアリングプラスチックなどの樹脂または木材などで形成される。各ブロック１２は直方体状であり、外側面１４に凹部１６が設けられる。
【００２４】
図１（Ｂ）に示すように、凹部１６は直方体状であり、凹部１６の各辺はブロック１２の各辺に対して平行である。凹部１６の深さＨ１および幅Ｗ１はそれぞれブロック１２の高さＨ２および幅Ｗ２より小さいが、凹部１６の長さＬはブロック１２の長さＬと一致し、凹部１６はブロック１２の外側面１４の一組の対辺１８、２０間を貫く。たとえば、ブロック１２の高さＨ２は３０ｍｍであるのに対して凹部１６の深さＨ１は１０ｍｍであり、ブロック１２の幅Ｗ２は１００ｍｍであるのに対し、凹部１６の幅Ｗ１は６４ｍｍである。そして、ブロック１２および凹部１６の長さＬは共に４０ｍｍであり、小屋組施工治具１０の全長は１７２０ｍｍである。図２に示すように、この凹部１６の幅Ｗ１を後述するトラス材２２の幅Ｗ３（たとえば、６０ｍｍ）より少し大きめに形成することにより、凹部１６をトラス材２２に嵌め込み、係合させることができる。
【００２５】
各ブロック１２の内側面２４に小ネジやビス２６などで蝶番２８の一片２８ａを取り付け、同様に隣接するブロック１２の内側面２４に蝶番２８の他片２８ｂを取り付ける。ブロック１２の外側面１４に設けた凹部１６のちょうど内側に当たる部分に蝶番２８を取り付けて、ブロック１２を連結すると、小屋組施工治具１０の外側面１４の凹部１６は一本につながる。この蝶番２８は２つのブロック１２を連結する連結部であり、またブロック１２を内側方向に曲げる屈曲部である。なお、外側方向には隣接するブロック１２の相対面１８、３０がぶつかるため、ブロック１２は曲がらない。
【００２６】
図３および図４に示すように、小屋組施工治具１０をトラス３２に合わせて３角形状にしてトラス３２に装着する。すなわち、小屋組施工治具１０の連結部２８の一箇所を曲げて、その屈曲部３４をできる限りトラス３２の垂直材３６と斜材３８とからなる角４０に合わせる。屈曲部３４側から順番にブロック１２を垂直材３６および斜材３８に沿わせながら、各ブロック１２の凹部１６を垂直材３６および斜材３８に嵌めて、小屋組施工治具１０の垂直辺４２および斜辺４４を形成する。そして、垂直辺４２および斜辺４４の適当な連結部４６、４８をそれぞれ曲げて、屈曲部３４の対辺（水平辺）５０が水平な直線状になるようにする。この小屋組施工治具１０の水平辺５０が足場受となる。
【００２７】
複数のトラス３２を間隔を開けながら桁（図示せず）に接合し、各トラス３２に小屋組施工治具１０による足場受５０を取り付ける。トラス３２の足場受５０に一枚の足場板５２を乗せて隣接するトラス３２に足場板５２を渡す。
【００２８】
足場板５２の上に人や資材などが乗ると、小屋組施工治具１０の水平辺５０（足場受）に重力がかかる。その力は水平辺５０から垂直辺４２および斜辺４４へ伝わるが、垂直辺４２および斜辺４４は屈曲部３４およびトラス材２２により固定されているため、この力に対応する抗力が発生し、垂直辺４２および斜辺４４は水平辺５０を支える。この際、小屋組施工治具１０の連結部２８は外側に曲がらないため、水平辺５０のブロック１２を直線状に維持することができる。
【００２９】
このように、複数のブロック１２を蝶番２８により連結した小屋組施工治具１０の連結部２８を曲げれば、小屋組施工治具１０の形を変化させることができるので、トラス３２の大きさや形状に合わせて足場受５０を設けることができる。
【００３０】
よって、小屋組施工治具１０を変形させて積み重ねることもできる。すなわち、図５に示すように、小屋組施工治具１０の連結部２８を曲げて、その屈曲部２８をトラス３２の垂直材３６と斜材３８とのなす角４０に当て、そこからブロック１２の凹部１６をトラス材２２に嵌めながらブロック１２を垂直材３６および斜材３８に沿わせる。それらの適当な箇所の連結部２８をそれぞれ内側方向に曲げて、水平な直線状の水平辺５０を形成する。それから、別の小屋組施工治具１０を用意し、その小屋組施工治具１０を先の小屋組施工治具１０の水平辺５０の上に沿わせる。そして、垂直材３６および斜材３８に接触する位置で連結部２８を曲げて、そこからブロック１２を垂直材３６および斜材３８に沿わせながらブロック１２の凹部１６を嵌める。それらの適当な箇所の連結部２８をそれぞれ曲げて水平でかつ直線状の水平辺５１を形成する。この水平辺５１が足場受となり、足場板５２を乗せることができる。このように小屋組施工治具１０を重ねることにより足場受５１の高さを高くすることができる。
【００３１】
小屋組施工治具１０をトラス３２に嵌めることにより足場受５０をトラス３２に設け、小屋組施工治具１０をトラス３２から抜き取ることにより足場受５０を取り外すことができるので、足場受固定用治具などが不要で、足場受５０の脱着が簡単である。
【００３２】
小屋組施工治具１０の形をトラス３２に合わせて３角形状にすると、足場に人や資材などが乗っても、それらの重力に対して小屋組施工治具１０の垂直辺４２および斜辺４４に抗力が生じるため、小屋組施工治具１０は水平辺５０を支えて、足場を固定することができる。
【００３３】
この場合、ブロック１２の外側面１４に形成した凹部１６を垂直材３６および斜材３８に嵌め込むことにより、凹部１６は垂直材３６および斜材３８に係合するため、小屋組施工治具１０は垂直材３６と斜材３８とからなる面に対して垂直な方向に固定され、足場が安定する。
【００３４】
また、複数のブロック１２の内側面２４にそれぞれ蝶番２８を取り付けて、ブロック１２を連結すると、各ブロック１２は蝶番２８により内側方向には曲がるが、外側方向には曲がらないため、水平辺５０の上から重力を掛けても、ブロック１２間の連結部２８は外側方向に曲がらず、水平辺５０を直線状に維持することができる。
【００３５】
蝶番２８を用いればブロック１２の連結は容易であり、曲げた蝶番２８を伸ばしても塑性変形しないので連結部２８を繰り返し曲げ伸ばすことができる。
【００３６】
なお、ブロック１２の連結に蝶番２８を使用したが、これに代えて、柔軟性のある金属のバンドなどを用いてもよい。環状にした金属バンドにブロック１２を溶接などして取り付ける。
【００３７】
図６に示すこの発明の他の実施例である小屋組施工治具１０は図１に示す小屋組施工治具１０とほぼ同じであるが、小屋組施工治具１０のブロック１２形状および大きさが異なる。
【００３８】
ブロック１２は直方体状であり、外側面５４に凹部１６はない。ブロック１２の幅Ｗ３はＣ型鋼５６の間隙５８の幅Ｗ４より小さく、Ｃ型鋼５６の間隙５８にブロック１２を嵌め込むことができる。これ以外の部分に関しては図１実施例の示す小屋組施工治具１０と同様であるため、説明は省略する。
【００３９】
トラス材２２にＣ型鋼５６を用いた場合、小屋組施工治具１０のブロック１２をＣ型鋼５６の間隙５８内に嵌め込み、小屋組施工治具１０の連結部２８を曲げて、その屈曲部３４を垂直材３６と斜材３８とのなす角４０に合わせる。そして、ブロック１２を嵌め込んだまま屈曲部３４から順番に垂直材３６および斜材３８に沿わせ、それらの連結部２８をそれぞれ曲げて水平な直線状の辺を形成し、小屋組施工治具１０を３角形状にする。この水平な辺を足場受５０とし、足場受５０に足場板５２をのせれば、足場を作成することができる。
【００４０】
このように、小屋組施工治具１０をＣ型鋼５６に嵌めれば、小屋組施工治具１０の幅方向の動きをＣ型鋼５６のリップ６０でとめることができ、足場を安定させることができる。
【図面の簡単な説明】
【００４１】
【図１】（Ａ）はこの発明の一実施例の小屋組施工治具を示す平面図であり、（Ｂ）は（Ａ）の断面図である。
【図２】図１実施例の小屋組施工治具をトラス材に嵌め込んだ状態を示す斜視図である。
【図３】図１実施例の小屋組施工治具をトラスに装着した状態を示す平面図である。
【図４】図３の小屋組施工治具およびトラスを示す部分拡大図である。
【図５】図１実施例の小屋組施工治具を３つ重ねてトラスに装着した状態を示す平面図である。
【図６】この発明の他の実施例の小屋組施工治具およびトラス材を示す断面図である。
【符号の説明】
【００４２】
１０…小屋組施工治具
１２…ブロック
１４…外側面
１６…凹部
２２…トラス材
２８…蝶番
【図１】
2005226282.tif 000003
【図２】
2005226282.tif 000004
【図３】
2005226282.tif 000005
【図４】
2005226282.tif 000006
【図５】
2005226282.tif 000007
【図６】
2005226282.tif 000008